(57)【要約】【課題】建築物に吹き付けたアスベストを強制的に剥離、解体することなくアスベストを封じ込めて長期的に安定化させ、粉塵の発生を防止する技術を提供することを目的とするものである。【解決手段】この目的を達成するために、屋根や天井、壁、内外装材等の建築物の構築面１に吹き付けたアスベスト２に飛散抑制剤３を吹き付けあるいは注入して浸透、硬化させるとともに飛散抑制剤３の表面を耐火性を有する被覆材４で被覆するものである。更に、被覆材４中に保持部材６を埋め込み、被覆材４を補強してアスベスト２を完全に封じ込めるものである。【選択図】図１
2007113175.tif 000002
【特許請求の範囲】
【請求項１】
天井や壁、内外装材等の建築物の構築面１に吹き付けたアスベスト２に飛散抑制剤３を浸透、硬化させるとともに飛散抑制剤３の表面を耐火性を有する被覆材４で被覆するようにしたことを特徴とするアスベストの安定化処理方法。
【請求項２】
天井や壁、内外装材等の建築物の構築面１に吹き付けたアスベスト２に多数の孔５を形成し、アスベスト２に飛散抑制剤３を浸透、硬化させるとともに飛散抑制剤３の表面を耐火性を有する被覆材４で被覆するようにしたことを特徴とするアスベストの安定化処理方法。
【請求項３】
天井や壁、内外装材等の建築物の構築面１に吹き付けたアスベスト２に飛散抑制剤４を浸透、硬化させるとともに飛散抑制剤３の表面に柔軟性を有する網状保持部材６を接着し、保持部材６を介して飛散抑制剤３の表面を耐火性を有する被覆材４で被覆するようにしたことを特徴とするアスベストの安定化処理方法。
【発明の詳細な説明】
【技術分野】
【０００１】
本発明は、建築物に使用されるアスベストの安定化処理方法に関し、特に、建築物の壁面や天井面等の構築面に吹き付けたアスベストを封じ込めることにより剥離、崩落を防止し、長期的に安定化させるためのアスベストの処理方法に関するものである。
【背景技術】
【０００２】
天然に産する繊維状ケイ酸塩鉱物を主成分とするアスベストは、耐熱性、耐摩耗性、耐酸性、吸音性、絶縁性等に優れ、かつ、機械的強度を有し、建築物の内装材、外装材、吸音断熱材、耐火被覆材等の建材として広く使用されている。特に、セメント、プラスチック、ゴム等の材料と組み合わせた建材の他に壁面や天井面等の建物構築面にアスベストを吹き付けることが行われている。
【０００３】
アスベストは１９７０年から１９９０年にかけて大量に輸入され建築物に使用されているが、建築物の老巧化あるいは経年経過による劣化、更には地震の揺れにともないアスベストの一部あるいは全体が構築面から剥離、崩落し、粉塵として飛散する現象が生じている。アスベストは微小な針状結晶組織のため人が吸引した場合、体内に残留し石綿肺、肺がん、胸膜・腹膜の中皮腫等の健康障害を引き起こし、大きな社会問題となっている。
【０００４】
アスベストは、現在は使用が禁止されているが、古くは体育館、講堂、倉庫、公会堂、駅舎等の不特定多数が集合する大型な建築物に広く使用され、近年では病院や集合住宅、一般住宅にも使用されていることが判明し、使用者や住人の健康問題を考慮して建築物からアスベストを除去する作業が行われている。
【０００５】
前記のようにアスベスト粉塵は健康に悪影響を与えるために、アスベストの除去に際しては除去現場をビニールシートで完全に覆い、外部から隔離してアスベスト粉塵が周辺に飛散することを防止する。その後、アスベスト面に水を噴霧して湿潤させ、防塵マスクや保護衣を着用した作業員がヘラのような工具を使用して削り取っていた。
【０００６】
しかし、この除去方法では作業員の健康問題、多額の経費の必要性、多量のアスベストが排出されることから起きる処理場確保の問題、不法投棄、環境問題等大きな課題が山積している。
【０００７】
効率よく機械的にアスベストを除去する具体的な手段としては特開平１１−１９３６４３号に示されるアスベスト除去装置を使用する技術が開示されている。この技術は、除去ヘッド１２のブラシシール３５をアスベスト面に押し当て、泡を噴射しつつ除去ヘッド１２を移動させ、回転する切削部材３９によりアスベストを削り取るものである。削り取ったアスベストは回収するようになっている。
【特許文献１】特開平１１−１９３６４３号公報
【発明の開示】
【発明が解決しようとする課題】
【０００８】
しかし、機械的にアスベストを削り取り、回収するとしても天井面と壁面のような直角状の境界面に切削部材３９をあてがうことができず、この部分のアスベストを削り取ることができないものであった。また、天井面に段差がある箇所のアスベストも削り取ることができないものであった。しかも、機械的に処理するために天井面や壁面をも傷つけることがあった
【０００９】
更に、従来、特開２０００−７９３８０に示されるアスベストを無害化処理したり、特開２００１−３１７７１３に示されるアスベストを溶融処理する技術が提供されているが、その前段階としてアスベストを建築物から除去する必要があり、アスベストを周辺に飛散させることなくいかにして建築物から取り去るかに苦慮していた。いずれにしても従来技術ではアスベストを剥離、解体することを前提としており、アスベストの飛散を完全に防止することはできないものであった。
【００１０】
本発明は、建築物に吹き付けたアスベストを強制的に剥離、解体することなくアスベストを封じ込めて安定化させための技術を提供することを目的とするものである。更に、安定化後にアスベストを解体処理するに際して硬化したアスベストから粉塵が発生し、飛散することを防止可能とすることを目的とするものである。
【課題を解決するための手段】
【００１１】
上記する目的を達成するために本発明アスベストの安定化処理方法は、天井や壁、内外装材等の建築物の構築面１に吹き付けたアスベスト２に飛散抑制剤４を浸透、硬化させるとともに飛散抑制剤４の表面を耐火性を有する被覆材５で被覆するようにしたことに特徴を有している。
【００１２】
また、本発明アスベストの安定化処理方法は、天井や壁、内外装材等の建築物の構築面１に吹き付けたアスベスト２に多数の孔３を形成し、アスベスト２に飛散抑制剤４を浸透、硬化させるとともに飛散抑制剤４の表面を耐火性を有する被覆材５で被覆するようにしたことに特徴を有している。
【００１３】
更に、本発明アスベストの安定化処理方法は、天井や壁、内外装材等の建築物の構築面１に吹き付けたアスベスト２に飛散抑制剤４を浸透、硬化させるとともに飛散抑制剤３の表面に柔軟性を有する網状保持部材６を接着し、保持部材６を介して飛散抑制剤３の表面を耐火性を有する被覆材４で被覆するようにしたことに特徴を有している。
【発明の効果】
【００１４】
本発明によれば建築物の天井や壁、内外装材等の構築面１に吹き付けられたアスベスト２を吹き付け状態のままで長期間にわたって封じ込めることが可能である。特に、飛散抑制剤４によってアスベスト２が安定化するのでアスベスト２が構築面１から剥離したり崩落して粉塵が飛散することがなく、人の健康を損ねることがない。更に、飛散抑制剤４の表面を耐火性を有する被覆材５で覆うので火災時の防火に効果がある。
【００１５】
また、建築物の視認できる範囲のアスベスト２を完全に被覆することで目につくことがなくなり、建築物の利用者や住人にいたずらに不安感を与えることがない。更には、通常は目につかない天井裏や屋根内面、内外装材の内面等に吹き付けたアスベストを安定化処理することで建築物全体のアスベスト２を安定化でき、安全な生活環境を維持することができる。
【００１６】
本発明の処理技術は、すでにアスベスト２が吹き付けられた構築面１を有する既存の建築物に利用可能であるから、劣化して剥離あるいは崩落の危険性を有するアスベスト２に対して封じ込め処理をすることで安心して建築物を利用することができ、また、住まうことができるものである。
【００１７】
アスベスト２の安定化処理に際して既設のアスベスト２を剥離したり取り除く必要がないので、いたずらに粉塵を発生することがなく、環境に優しく、作業の安全性を確保でき、作業期間中も多くの人の出入りが可能であり、アスベスト２の危険性から回避できるものである。
【００１８】
アスベスト２を被覆する被覆材５を繊維のような保持部材６を使用して保持することで被覆材５の厚さを充分に厚くすることができて防火対策が完全となり、一度、本発明の処理技術を施すことで長期のわたって既設のアスベスト２を安定化させることができる。
【００１９】
総じて本発明のように建築物に吹き付けた既設のアスベストを取り除くことなく安定させ、飛散を防止する特殊な技術は開示されておらず、健康を維持するためには極めて重要性を有するものである。特に、本発明処理技術は、特殊な技術を要することなく建築業者、リフォーム業者が容易に作業することができ、時間を短縮し、少ない費用で既存の多くの建築物に対処することができる。
【００２０】
更に、本発明が安定化処理後に重要性を有することは、アスベスト２を飛散抑制剤４によって硬化可能であるから、建築物自体あるいはアスベスト２そのものを解体処理する場合でもアスベスト２は塊の状態で構築面１から引き剥がすことができ、粉塵が発生することがなく、解体作業を容易に行うことができる。しかも、解体後のアスベスト塊はそのまま産業廃棄物として廃棄処分ができる利点を有している。
【発明を実施するための最良の形態】
【００２１】
以下図面に従って本発明の実施形態を詳細に説明する。
図１は、建築物に吹き付けたアスベストを安定化処理するための本発明の第一の実施形態を示すものであり、図において符号１は既設の建築物の構築面であり、例えば、コンクリート製天井構築面の場合を示している。また、符号２は、構築面１に対する吹き付けたアスベストを示している。
【００２２】
経年経過による材質の劣化、あるいは地震の揺れ等が原因でアスベスト２が剥離あるいは崩落する危険があるが、本実施形態の発明は事前にアスベスト２を封じ込めて安定化させ、剥離や崩落を防止するものである。このため、本発明においては、アスベスト２全面に例えば有機質系接着剤あるいは無機質系接着剤等のすでに建築施工現場で使用されている接着剤からなる飛散抑制剤３を吹き付けあるいは注入する。
【００２３】
このようにアスベスト２面に飛散抑制剤４を付着させることにより、アスベスト２内に
飛散抑制剤３が浸透する。次に、飛散抑制剤３が硬化した後、飛散抑制剤３の表面に例えばセメントやロックウール、軽量モルタル等の耐火性を有する材質からなる被覆材５を吹き付けあるいは貼り付けて全面を被覆する。
【００２４】
図２は、アスベストを安定化処理するための本発明の第二の実施形態を示すものであり、前記の実施形態と同じ部分は同じ符号を使用している。
この実施形態ではアスベスト２に多数の浸透用孔５を形成したことに特徴を有しており、アスベスト２に対して前記の飛散抑制剤３を吹き付けあるいは注入する。
【００２５】
アスベスト２表面以外に各浸透用孔５内にも飛散抑制剤３が侵入することになるので、飛散抑制剤３がアスベスト２表面や孔５内面からアスベスト２深部に浸透する。次に、飛散抑制剤３が硬化した後、飛散抑制剤３の表面に前記と同じ被覆材４を吹き付けあるいは貼り付けて全面を被覆する。
【００２６】
前記の各実施形態においてアスベスト２全面に対する飛散抑制剤３の吹き付けや注入、被覆材４による被覆等の安定化処理によってアスベスト２の組織を結合させ剥離、崩落を防止することが可能であり、粉塵の発生による不特定多数の建築物使用者や住民の健康を損なうことがない。尚、天井構築面は、コンクリート製に限らず金属製、木製、スレート製であってもよい。
【００２７】
更に、本発明の処理方法は、天井に限らず壁面のような構築面や折板構造の金属製屋根のような建築物の目につく露出面に吹き付けたアスベスト、更には、天井裏や内装材の内側、外装材内面等の外部からは目に見えない構築面に吹き付けたアスベスト２に応用することができる。
【００２８】
尚、天井や壁、内外装材等の構築面１は、コンクリート製に限らず金属製、木製、スレート製であってもよい。また、前記の飛散抑制剤３として使用する接着剤は一例を示したものであり他の接着剤を使用可能であり、更に、接着剤に変えて公知の硬化剤を飛散抑制剤３として使用可能である。
【００２９】
前記した飛散抑制剤３の浸透用孔５は、径や深さ、本数等はアスベスト２の厚さや面積に応じて任意に選択することができる。ただし、アスベスト２の飛散を防止するには孔５の大きさは、飛散抑制剤３が浸透可能であれば、できるだけ小さいものであることが望ましい。
【００３０】
図３は、アスベストを安定化処理するための第三の実施形態を示すものであり、前記の実施形態と同じ部分は同じ符号を使用している。
この実施形態では、アスベスト２に付着、浸透させた前記の飛散抑制剤３の表面にガラス繊維又は天然繊維等を素材とする網状保持部材６を無機質系あるいは有機質系の接着剤を使用して貼り付け、更に、保持部材６の表面にセメントやロックウール、軽量モルタル等の耐火性を有する材質からなる被覆材４を吹き付けあるいは貼り付けて全面を被覆する。
【００３１】
保持部材６は、柔軟性を有しているので、アスベスト２を吹き付けた構築面１が凹凸のような複雑な形状を有していても形状に合わせて張り付けることができる。しかも、被覆材５を付着して保持する機能を有しているので、被覆材５が剥がれ落ちるようなことはなく、アスベスト２を安定化させることができる。網状保持部材６を使用することは、前記の第１、第２の各実施形態にも適用できる。
【００３２】
保持部材６はガラス繊維や天然繊維を使用する場合について説明したが、柔軟性を有する細い線からなる場合には金属線を使用した網状の保持部材６を使用してもよい。金属線の場合でも被覆材５の保持機能を有し、剥離を防止できる。尚、網状保持部材６を使用することは、前記の各実施形態にも適用できる。
【産業上の利用可能性】
【００３３】
本発明のアスベスト処理技術を使用することで既存の全ての建築物に吹き付け処理されたアスベストを安定化させることができ、かつ、経済的な処理が可能であり、利用価値が高いものである。処理技術は簡単であるから、建築業界やリフォーム業界を活性化することができる。
【図面の簡単な説明】
【００３４】
【図１】本発明の第一の実施形態を示す構築面とアスベストの断面図である。
【図２】本発明の第二の実施形態を示す構築面とアスベストの断面図である。
【図３】本発明の第三の実施形態を示す構築面とアスベストの断面図である。
【符号の説明】
【００３５】
１  屋根、天井、壁等の構築面
２  アスベスト
３  飛散抑制剤
４  被覆材
５  浸透用孔
６  保持部材
【図１】
2007113175.tif 000003
【図２】
2007113175.tif 000004
【図３】
2007113175.tif 000005